(57)【要約】【課題】車両等に対する給油時に非適合の油種を給油してしまう誤給油は頻繁に起こり、混油が生じた場合はエンジンの破損等の原因となり、又燃料の抜き取りなど大きなロスが生じていた。【解決手段】車両等の燃料給油口の表面或いは給油口カバーの裏面に油種を特定するバーコード或いは二次元バーコードを記載したフィルムを貼付し、給油側には該バーコード或いは二次元バーコードを読み出すバーコードリーダーが備えられてあり、該バーコードリーダーからの情報により適合油種を特定し、適合油種のみを給油可能とする。【選択図】図１
2017202834.tif 000002
【特許請求の範囲】
【請求項１】
自動車、二輪車、トラック、バス等の燃料給油を必要とする車両、機械、燃料タンク、船舶或いは航空機等（以下、車両等という）に対する給油時に非適合の油種を給油してしまう誤給油を防止するための機構であって、
車両等の燃料給油口の表面或いは給油口カバーの裏面に油種を特定するバーコード或いは二次元バーコードを記載したフィルムを貼付し、
給油側には該バーコード或いは二次元バーコードを読み出すバーコードリーダーが備えられてあり、
該バーコードリーダーからの情報により適合油種を特定し、
適合油種のみを給油可能とすることを特徴とする、
誤給油防止方法。
【請求項２】
該給油側に備えられたバーコード或いは二次元バーコードを読み出すバーコードリーダーは、
給油機に備えられたハンディバーコードリーダーであることを特徴とする、
請求項１記載の誤給油防止方法。
【請求項３】
該給油側に備えられたバーコード或いは二次元バーコードを読み出すバーコードリーダーは、
給油ノズルに備えられたハンディバーコードリーダーであることを特徴とする、
請求項１記載の誤給油防止方法。
【請求項４】
該給油側に備えられたバーコード或いは二次元バーコードを読み出すバーコードリーダーは、
給油ノズルの先端に備えられたハンディバーコードリーダーであることを特徴とする、
請求項３記載の誤給油防止方法。
【請求項５】
該バーコードリーダーからの情報により適合油種を特定して適合油種のみを給油可能とする機構は、
適合油種のノズル以外のノズルをロックする機構により為されることを特徴とする、
請求項１乃至４の何れか一に記載の誤給油防止方法。
【請求項６】
該バーコードリーダーからの情報により適合油種を特定して適合油種のみを給油可能とする機構は、
適合油種のノズル以外のノズルをロックする機構により為され、
且つ、適合油種のノズルを示す灯火を点灯することを特徴とする、
請求項５記載の誤給油防止方法。
【請求項７】
該バーコードリーダーからの情報により適合油種を特定して適合油種のみを給油可能とする機構は、
適合油種のノズル以外のノズルをロックする機構により為され、
且つ、非適合油種のノズルが操作中の場合にアラームを発報することを特徴とする、
請求項５又は６記載の誤給油防止方法。
【発明の詳細な説明】
【技術分野】
【０００１】
本発明はガソリンスタンド等で自動車等に給油する際に油種を誤って給油してしまう誤給油防止に関するものである。
【背景技術】
【０００２】
車両等に対する給油時に非適合の油種を給油してしまう誤給油は頻繁に起こり、混油が生じた場合はエンジンの破損等の原因となり、又燃料の抜き取りなど大きなロスが生じていた。
特に、高齢者等が自身の車両が「軽自動車」であることから油種を「軽油」と誤認して給油してしまう等の事象が多発し、誤給油を防止する方法が求められていた。
【先行技術文献】
【特許文献】
【０００３】
【特許文献１】特開２０１５ー１２９８８８号公報
【特許文献２】特開２００６ー２２４９６８号公報
【特許文献３】特開２００２ー６８３９７号公報
【発明の概要】
【発明が解決しようとする課題】
【０００４】
そこで、誤給油防止のため、従来から多くの対策が提案されて来ている。特許文献１には、燃料油種に対応した蛍光文字を蛍光インキをスクリーン印刷した表示ラベルを接着剤層を介して給油口キャップの操作摘みの表面や給油口リッドの裏面に接着固定する方法が開示されている。しかし、かかる方法は夜間等において給油者に注意を喚起する効果はあるが、誤給油を直接防止する方法とはなっていない。
【０００５】
また、特許文献２には、車両に設けられた給油情報が入力されたＩＣタグと該タグからの給油情報を読み取る車両外に設けられたＩＣタグ読取装置と、読取装置からの給油情報に基づき車両に適した給油を行う制御手段３５を有する給油装置とを備え、給油時に前記給油情報とは違う誤動作がなされた場合に給油を不能とするか又は給油を制限するように制限手段 等を設ける方法が開示されている。しかし、かかる方法はＩＣタグ及びＩＣタグ読取装置の設置に多大なコストがかかり、経済的な問題があった。
【０００６】
本発明は、かかる課題を解決するため、低コストで設置が可能で、確実に誤給油の防止を可能とする報報を実現せんとするものである。
【課題を解決するための手段】
【０００７】
本発明は、自動車、二輪車、トラック、バス等の燃料給油を必要とする車両、機械、燃料タンク、船舶或いは航空機等（以下、車両等という）に対する給油時に非適合の油種を給油してしまう誤給油を防止するための機構であって、車両等の燃料給油口の表面或いは給油口カバーの裏面に油種を特定するバーコード或いは二次元バーコードを記載したフィルムを貼付し、給油側には該バーコード或いは二次元バーコードを読み出すバーコードリーダーが備えられてあり、該バーコードリーダーからの情報により適合油種を特定し、適合油種のみを給油可能とすることを特徴とする、誤給油防止方法である。
【０００８】
また本発明は、該給油側に備えられたバーコード或いは二次元バーコードを読み出すバーコードリーダーが、給油機に備えられたハンディバーコードリーダーであることを特徴とする。さらに本発明は、該給油側に備えられたバーコード或いは二次元バーコードを読み出すバーコードリーダーが、給油ノズルに備えられたハンディバーコードリーダーであることを特徴とする。さらに本発明は、該給油側に備えられたバーコード或いは二次元バーコードを読み出すバーコードリーダーが、給油ノズルの先端に備えられたハンディバーコードリーダーであることを特徴とする
【０００９】
また本発明は、該バーコードリーダーからの情報により適合油種を特定して適合油種のみを給油可能とする機構が、適合油種のノズル以外のノズルをロックする機構により為されることを特徴とする。さらに該バーコードリーダーからの情報により適合油種を特定して適合油種のみを給油可能とする機構が適合油種のノズル以外のノズルをロックする機構により為され、且つ、適合油種のノズルを示す灯火を点灯することを特徴とする。或いは、該バーコードリーダーからの情報により適合油種を特定して適合油種のみを給油可能とする機構が適合油種のノズル以外のノズルをロックする機構により為され、且つ、非適合油種のノズルが操作中の場合にアラームを発報することを特徴とする。
【発明の効果】
【００１０】
本発明に係る誤給油防止方法は、非常に簡便な構成で確実な誤給油防止を行うことができる方法を実現するものであり、且つ、そのコストは非常に小さい。これにより、ガソリンスタンド等の給油側業者にとっても、車両所有者にとってもリスクが低減され、経済的メリットも大きいという利点がある。
【図面の簡単な説明】
【００１１】
【図１】図１は、燃料給油口の表面に油種を特定するバーコードを貼付した例を示す図である。
【図２】図２は、給油ノズルの先端にバーコードリーダーを設置した状態の例を示す図である。
【発明を実施するための形態】
【００１２】
以下、本発明に係る誤給油防止方法を図面を用いて説明する。本発明は、自動車、二輪車、トラック、バス等の燃料給油を必要とする車両、機械、燃料タンク、船舶或いは航空機等（以下、車両等という）に対する給油時に非適合の油種を給油してしまう誤給油を防止するための機構であって、車両等の燃料給油口の表面或いは給油口カバーの裏面に油種を特定するバーコード或いは二次元バーコードを記載したフィルムを貼付し、給油側には該バーコード或いは二次元バーコードを読み出すバーコードリーダーが備えられてあり、該バーコードリーダーからの情報により適合油種を特定し、適合油種のみを給油可能とすることを特徴とする、誤給油防止方法である。
【００１３】
また本発明は、該給油側に備えられたバーコード或いは二次元バーコードを読み出すバーコードリーダーが、給油機に備えられたハンディバーコードリーダーであることを特徴とする。さらに本発明は、該給油側に備えられたバーコード或いは二次元バーコードを読み出すバーコードリーダーが、給油ノズルに備えられたハンディバーコードリーダーであることを特徴とする。さらに本発明は、該給油側に備えられたバーコード或いは二次元バーコードを読み出すバーコードリーダーが、給油ノズルの先端に備えられたハンディバーコードリーダーであることを特徴とする
【００１４】
また本発明は、該バーコードリーダーからの情報により適合油種を特定して適合油種のみを給油可能とする機構が、適合油種のノズル以外のノズルをロックする機構により為されることを特徴とする。さらに該バーコードリーダーからの情報により適合油種を特定して適合油種のみを給油可能とする機構が適合油種のノズル以外のノズルをロックする機構により為され、且つ、適合油種のノズルを示す灯火を点灯することを特徴とする。或いは、該バーコードリーダーからの情報により適合油種を特定して適合油種のみを給油可能とする機構が適合油種のノズル以外のノズルをロックする機構により為され、且つ、非適合油種のノズルが操作中の場合にアラームを発報することを特徴とする。
【実施例１】
【００１５】
図１は、本発明に係る燃料給油口の表面に油種を特定するバーコードを貼付した例を示す図である。給油キャップ１の摘み部２上に本発明に係る油種を特定するバーコード３が貼付されている。ここで、貼付するバーコードはプラスチック等のフィルム上に印刷されたものでよく、裏面に粘着剤を塗布して摘み部２上に貼り付ける。
【００１６】
ここで、本発明に係る油種を特定するバーコード３の貼付位置は給油キャップ１の摘み部２上に限定されるものではなく、給油キャップカバーの裏面や表面等、給油口の近辺であれば問題無い。
【００１７】
また、バーコードの種類は図１に示された通常のバーコードに限定されるものではなく、二次元バーコード等の他種のバーコードも好適に用いられる。
【００１８】
給油側には該バーコード或いは二次元バーコードを読み出すバーコードリーダーが備えられてあり、該バーコードリーダーからの情報により適合油種を特定し、適合油種のみを給油可能とする。図２は、給油ノズルの先端にバーコードリーダーを設置した状態の例を示す図である。給油ノズル４の先端部にバーコードリーダー５が設置され、データコード６で給油機本体と連結されている。
【００１９】
給油者が給油時に前記バーコードリーダー５で給油口付近に設置されたバーコード３を読み取ることにより、当該ノズルと給油すべき油種の適合を確認し、油種が適合する場合のみ給油可能とすることにより、誤給油を防止することが出来る。
【００２０】
ここで、油種の適合を確認する機構は、バーコードからの情報と当該ノズルが一致するかどうかだけを判断すればよく、非常に簡単且つローコストな回路で構成可能である。
【００２１】
また、バーコードリーダーの設置位置は本実施例のようなノズル先端に限定されるものではなく、別置のバーコードリーダー等でも問題無い。
【００２２】
誤給油防止方法としては、適合油種のノズル以外は稼働しないように設定すれば良いが、これに加えてノズルに灯火を設置し、適合油種は青、非適合の油種のノズルには赤色に発光させて注意喚起、適合の指示をすることも有効である。また、非適合の油種のノズルを操作中の場合にはアラーム音等で注意喚起することも有効である。
【産業上の利用可能性】
【００２３】
本発明に係る誤給油防止方法は、非常に簡便な構成で確実な誤給油防止を行うことができる方法を実現するものであり、且つ、そのコストは非常に小さい。これにより、ガソリンスタンド等の給油側業者にとっても、車両所有者にとってもリスクが低減され、経済的メリットも大きいという利点がある。
【符号の説明】
【００２４】
１  給油キャップ
２  摘み部
３  油種を特定するバーコード
４  給油ノズル
５  バーコードリーダー
６  データコード
【図１】
2017202834.tif 000003
【図２】
2017202834.tif 000004